(57)【要約】      （修正有）【課題】同じ線径の溶接ワイヤに対してはソリッドワイヤ等とアルミワイヤを１種類で共用でき、使用するコンタクトチップを間違える恐れのないコンタクトチップを提供すること。【解決手段】ハウジング２と、このハウジング２に着脱可能に結合されたアダプター３とから構成され、ハウジング２に、その先端に溶接ワイヤ４の線径に対応する第１の挿通孔５を形成するとともに、第１の挿通孔５に続く嵌入孔６を形成し、前記アダプター３の先端に前記嵌入孔６に嵌入される突起部８を形成するとともに、アダプター３に前記第１の挿通孔５と同径の第２の挿通孔１１と、第２の挿通孔１１より大径の第３の挿通孔１２を形成し、前記ハウジング２の嵌入孔６にアダプター３の突起部８を嵌入して結合することによって、コンタクトチップ１を貫通する挿通孔を形成した。【選択図】図１
2018058105.tif 000002
【特許請求の範囲】
【請求項１】
溶接ワイヤの挿通孔を、軸方向に貫通形成したコンタクトチップにおいて、ハウジングと、このハウジングに着脱可能に結合されたアダプターとから構成され、ハウジングには、先端に溶接ワイヤの線径に対応する第１の挿通孔を形成するとともに、第１の挿通孔に続く嵌入孔を形成し、前記アダプターには、先端に前記嵌入孔に嵌入される突起部を形成するとともに、前記第１の挿通孔と同径の第２の挿通孔と、第２の挿通孔に続く第２の挿通孔より大径の第３の挿通孔を形成し、前記ハウジングの嵌入孔にアダプターの突起部を嵌入して結合することによって、第１の挿通孔と、ハウジング２の第１の挿通孔の後端とアダプター３の突起部の先端との間に形成される空間部と、第２の挿通孔と、第３の挿通孔とによってコンタクトチップを貫通する挿通孔を形成したことを特徴とするコンタクトチップ。
【発明の詳細な説明】
【技術分野】
【０００１】  本発明は、溶接ワイヤを案内するとともに、溶接電流を供給するアーク溶接用のコンタクトチップに関するものである。
【背景技術】
【０００２】  従来、アーク溶接用のコンタクトチップとしては、図４に示すように、銅合金製のコンタクトチップ５１の中心軸方向に溶接ワイヤの挿通孔５２を貫通形成しており、この挿通孔５２に溶接ワイヤを挿通し、溶接ワイヤを先端方向に送りながら、挿通孔５２の壁面に接触するによって溶接ワイヤに通電し、溶接していた。（例えば、特許文献１参照）
【先行技術文献】
【特許文献】
【０００３】
【特許文献１】特開２００９−０９０３５５号
【発明の概要】
【発明が解決しようとする課題】
【０００４】  前記のものでは、溶接ワイヤとして、ソリッドワイヤ、フラックス入りワイヤ、アルミワイヤ等の種類があり、同じ線径の溶接ワイヤでも、アルミワイヤとアルミワイヤ以外のソリッドワイヤ、フラックス入りワイヤ等（以下ソリッドワイヤ等と言う。）では、ソリッドワイヤ等よりアルミワイヤの送給性が悪いので、コンタクチップの孔径が異なり、例えば、φ１．２の溶接ワイヤの場合、コンタクトチップの挿通孔５１の孔径はソリッドワイヤ等ではφ１．３５であるのに対してアルミワイヤでは１．４０であり、１つの線径の溶接ワイヤに対して挿通孔５１の孔径が異なる２種類のコンタクトチップを用意しなければならないという問題があった。また、用意されている２種類のコンタクトチップを間違えて使用すると、溶接ワイヤの送給不良や通電不良による溶接不良となることがあるという問題があった。【０００５】  本発明は、前記の問題を解決し、同じ線径の溶接ワイヤに対してはソリッドワイヤ等とアルミワイヤを１種類のコンタクトチップで共用でき、また使用するコンタクトチップを間違える恐れのないコンタクトチップを提供することを目的になされたものである。
【課題を解決するための手段】
【０００６】  上記課題を解決するためになされた本発明のコンタクトチップは、溶接ワイヤの挿通孔を、軸方向に貫通形成したコンタクトチップにおいて、ハウジングと、このハウジングに着脱可能に結合されたアダプターとから構成され、ハウジングには、先端に溶接ワイヤの線径に対応する第１の挿通孔を形成するとともに、第１の挿通孔に続く嵌入孔を形成し、前記アダプターには、先端に前記嵌入孔に嵌入される突起部を形成するとともに、前記第１の挿通孔と同径の第２の挿通孔と、第２の挿通孔に続く第２の挿通孔より大径の第３の挿通孔を形成し、前記ハウジングの嵌入孔にアダプターの突起部を嵌入して結合することによって、第１の挿通孔と、ハウジング２の第１の挿通孔の後端とアダプター３の突起部の先端との間に形成される空間部と、第２の挿通孔と、第３の挿通孔とによってコンタクトチップを貫通する挿通孔を形成したことを特徴とするものである。
【発明の効果】
【０００７】  本発明では、ハウジングと、このハウジングに着脱可能に結合されたアダプターとから構成され、ハウジングには、先端に溶接ワイヤの線径に対応する第１の挿通孔を形成するとともに、第１の挿通孔に続く嵌入孔を形成し、前記アダプターには、先端に前記嵌入孔に嵌入される突起部を形成するとともに、前記第１の挿通孔と同径の第２の挿通孔と、第２の挿通孔に続く第２の挿通孔より大径の第３の挿通孔を形成し、前記ハウジングの嵌入孔にアダプターの突起部を嵌入して結合することによって、第１の挿通孔と、ハウジング２の第１の挿通孔の後端とアダプター３の突起部の先端との間に形成される空間部と、第２の挿通孔と、第３の挿通孔とによってコンタクトチップを貫通する挿通孔を形成したので、同じ線径の溶接ワイヤに対してはソリッドワイヤ等とアルミワイヤとを１種類で共用できる。また使用するコンタクトチップを間違える恐れがなく、間違えることによる溶接ワイヤの送給不良や通電不良による溶接不良を防止できる効果がある。
【図面の簡単な説明】
【０００８】
【図１】本発明の実施の形態におけるコンタクトチップの断面図である。
【図２】図１の分解図である。
【図３】図２のＡ部の拡大図である。
【図４】従来のコンタクトチップを示す断面図である。
【発明を実施するための形態】
【０００９】  以下、本発明の好ましい実施の形態について図１乃至図３に基づいて説明すると、１は銅合金製のコンタクトチップであり、コンタクトチップ１は、ハウジング２とこのハウジング２に着脱可能に結合されたアダプター３によって構成されている。
【００１０】  前記ハウジング２は、先端部に、溶接ワイヤ４の線径に対応した孔径の第１の挿通孔５が中心部軸方向に形成されるとともに、第１の挿通孔５に連通した大径の嵌入孔６が形成され、第１の挿通孔５と嵌入孔６にて、ハウジング２の中心部軸方向に貫通する貫通孔が形成され、また嵌入孔６の後部にはねじ部７が形成されている。
【００１１】  また、前記アダプター３は、先端に前記ハウジング２の嵌入孔６に嵌入される突起部８が形成され、この突起部８の後部外面には前記嵌入孔６のねじ部７に螺合されるねじ部９が形成されるとともに、アダプター３の後部には図示されていないトーチに螺合してコンタクトチップ１を取付けるねじ部１０が形成されており、突起部８の中心部軸方向にはハウジング２の第１の挿通孔５と同径の第２の挿通孔１１が形成されるとともに、第２の挿通孔１１に連通した第２の挿通孔１１より大径の第３の挿通孔１２が形成され、第２の挿通孔１１と第３の挿通孔１２にてアダプター３の中心部軸方向に貫通する貫通孔が形成されている。
【００１２】  次に、コンタクトチップ１の組立方法について説明すると、ハウジング２の嵌入孔６にアダプター３の突起部８を嵌め込み、ハウジング２の嵌入孔６のねじ部７にアダプター３の突起部８のねじ部９を螺合して、ハウジング２に］アダプター３を結合する。このとき、ハウジング２の第１の挿通孔５後端とアダプター３の突起部８の先端との間に空間部１３が形成されるようになっており、第１の挿通孔３と、空間部１３と、第２の挿通孔１０と、第３の挿通孔１１とでコンタクトチップ１を貫通する挿通孔が形成され、溶接ワイヤ４が挿通される。
【００１３】  尚、前記実施の形態では、溶接ワイヤの線径φ１．２に対して、第１の挿通孔５と第２の挿通孔１１の孔径はφ１．３５であり、第３の挿通孔１２の孔径はφ２となっており、また第１の挿通孔の長さ４ｍｍ、空間部の長さ５ｍｍ、第２の挿通孔の長さ１５ｍｍ、及び第３の挿通孔の長さ２０ｍｍである。
【００１４】  本発明のコンタクトチップ１は、溶接ワイヤ４の挿通孔を、ソリッドワイヤ等の線径に対応する孔径の第１の挿通孔５と、第２の挿通孔１１と、第２の挿通孔１１に続く、第２の挿通孔１１より大径の第３の挿通孔１２と、第１の挿通孔５と第２の挿通孔１１との間に設けた空間部１３により形成したので、ソリッドワイヤ等の線径に対応する挿通孔５、１１を最小限の長さにし、その他の部分をソリッドワイヤ等に対応する挿通孔５、１１の孔径より大きくした挿通孔１２、１３としたので、ソリッドワイヤ等に対応した挿通孔のコンタクトチップにてアルミワイヤを使用でき、また、コンタクトチップ１先端の第１の挿通孔５と第２の挿通孔１１との間に空間部１３を設けたので、空間部１３の空気が電気的絶縁材及び断熱材の働きをするので、通電ポイントがハウジング２の短い第１の挿通孔５となり安定するので、コンタクトチップ１の寿命が長くなる。
【００１５】  以上のように、本発明では、ハウジング２と、このハウジング２に着脱可能に結合されたアダプター３とから構成され、ハウジング２には、その先端に溶接ワイヤ４の線径に対応する第１の挿通孔５を形成するとともに、第１の挿通孔５に続く嵌入孔６を形成し、前記アダプター３には、先端に前記嵌入孔６に嵌入される突起部８を形成するとともに、アダプター３に前記第１の挿通孔５と同径の第２の挿通孔１１と、第２の挿通孔１１に続く第２の挿通孔１１より大径の第３の挿通孔１２を形成し、前記ハウジング２の嵌入孔６にアダプター３の突起部８を嵌入して結合することによって、第１の挿通孔５と、ハウジング２の第１の挿通孔５の後端とアダプター３の突起部８の先端との間に形成される空間部１３と、第２の挿通孔１１と、第３の挿通孔１２とによってコンタクトチップ１を貫通する挿通孔を形成したので、同じ線径の溶接ワイヤ４に対してはソリッドワイヤ等とアルミワイヤを１種類で共用でき、また使用するコンタクトチップ１を間違える恐れがなく、間違えることによる溶接ワイヤ４の送給不良や通電不良による溶接不良を防止できる。
【００１６】  また、コンタクトチップ１先端の第１の挿通孔５と第２の挿通孔１１との間に空間部１３を設けたので、空間部１３の空気が電気的絶縁材及び断熱材の働きをするので、通電ポイントがハウジング２の短い第１の挿通孔５となり安定するので、コンタクトチップの寿命が長くなる
【符号の説明】
【００１７】    １  コンタクトチップ
２  ハウジング
３  アダプター
４  溶接ワイヤ
５  第１の挿通孔
６  嵌入孔
８  突起部
１１  第２の挿通孔
１２  第３の挿通孔
１３  空間部
【図１】
2018058105.tif 000003
【図２】
2018058105.tif 000004
【図３】
2018058105.tif 000005
【図４】
2018058105.tif 000006